(57)【要約】【課題】オン状態を保持することが容易でありながら、使用者の手から離れた場合に速やかにオフ状態になる電動工具を提供する。【解決手段】ハウジング１０の表面に、前後方向にスライド自在かつ前後へ傾動自在なスイッチハンドル１が取り付けられ、スイッチハンドル１とハウジング１０に内蔵されたスイッチ３とが連結具２で連結され、スイッチハンドル１が前方に移動されることでスイッチ３がオン状態になり、スイッチハンドル１が後方に移動されることでスイッチ３がオフ状態に転じ、スイッチハンドル１は、後方に向けて付勢された本体部１ａと、本体部１ａが水平姿勢にある場合において、当該本体部からハウジング１０のグリップ部１０ａ上を横切り斜め後方上方に延伸する延伸部１２とを有し、グリップ部１０ａを握る動作において、延伸部１２をグリップ部１０ａに当接する方向に押し下げ、その姿勢に保持できる。【選択図】  図２
2015164754.tif 000002
【特許請求の範囲】
【請求項１】
ハウジングの表面に、前後方向にスライド自在かつ前後へ傾動自在なスイッチハンドルが取り付けられ、前記スイッチハンドルと前記ハウジングに内蔵されたスイッチとが連結具で連結され、前記スイッチハンドルが前方に移動されることで前記スイッチがオン状態になり、前記スイッチハンドルが後方に移動されることで前記スイッチがオフ状態に転じる電動工具であって、
前記スイッチハンドルは、後方に向けて移動付勢された本体部と、本体部が水平姿勢にある場合において、当該本体部から前記ハウジングのグリップ部上を横切り斜め後方上方に延伸する延伸部とを有し、
前記本体部を前方に移動させて前記スイッチがオン状態にあるときに、前記グリップ部を握ると、その握り動作において、前記延伸部を前記グリップ部に当接する方向に押し下げ、前記スイッチをオン状態に維持する一方、握り動作を解除すると、前記本体部に作用している付勢力によって前記本体部が後方に移動し、前記スイッチがオフ状態に転じる
ことを特徴とする電動工具。
【請求項２】
前記スイッチがオン状態になるまで前記本体部が前方に移動された位置において、前記本体部の少なくとも一部分を覆う受け部が前記ハウジング側に設けられ、
前記本体部が前方に移動され、かつ後傾姿勢に転じた場合において、前記受け部と係合する係合部を前記本体部側に有する
ことを特徴とする請求項１に記載の電動工具。
【請求項３】
前記本体部が後退端から前進端まで移動する途上に、前記本体部が水平姿勢のままでは当接して前進動が阻止されるが、前記本体部を後傾姿勢にすると乗り越えて前進動することのできる程度の高さを有した突起が前記ハウジン側に設けられており、
前記本体部を後傾姿勢のまま前進端まで移動し、前記グリップ部を握り前記延伸部を押し下げると、前記本体部の係合部が前記ハウジング側の受け部に係合し、オンロック状態となる
ことを特徴とする請求項２に記載の電動工具。
【発明の詳細な説明】
【技術分野】
【０００１】
本発明は、電動工具に関し、特に、スイッチハンドルの前後進に伴ってスイッチオン操作とスイッチオフ操作とを行うことのできる電動工具に関する。
【背景技術】
【０００２】
可搬型ディスクグラインダー等の電動工具は、その用途から片手で把持して使用することが想定される。そのため電動工具でスイッチの操作に用いられるスライド式のスイッチハンドルには、スイッチのオン状態を容易に保持するために、オンロック機能を有するものがある（特許文献１乃至４）。
図１０（ａ）、（ｂ）は、オンロック機能を有する従来のスイッチハンドルおよびその周辺部分の構造を示す縦断面図である。本図では、電動工具のハウジング１１０の表面のガイド部に、スイッチハンドル１０１が設けられている。スイッチハンドル１０１は、紙面に平行な方向にスライド可能である。スイッチハンドル１０１は、ハウジング１１０内部の連結具１０２を介して、ハウジングに内蔵されている図示しないスイッチに連結されている。
【０００３】
図１０（ａ）において実線で示す位置にスイッチハンドル１０１がある場合、スイッチはオフ状態となっている。この位置からスイッチハンドル１０１を右方向の二点鎖線で示す位置までスライドさせると、スイッチハンドル１０１と連結している連結具１０２も右方向に引かれ、スイッチがオン状態になる。
スイッチがオン状態となった後、スイッチハンドル１０１の右側部分を下方へ押すことで、図１０（ｂ）に示すように、ハウジング１１０の表面に形成された凸部１１０ａが、スイッチハンドル１０１の摺動面に形成された凹部１０１ａに嵌合して、スイッチハンドル１０１はオンロックされる。
【０００４】
このオンロックは、スイッチハンドル１０１の左側部分を押すことで、凸部１１０ａと凹部１０１ａとの嵌合が解け、解除される。オンロックが解除されたことで、スイッチはオフ状態に切り換わり、連結具１０２およびスイッチハンドル１０１も左側へ引き戻される。
【先行技術文献】
【特許文献】
【０００５】
【特許文献１】実開昭５８−１９３５２１号公報
【特許文献２】特開２００３−０７１７４６号公報
【特許文献３】実開平０６−０６１４７３号公報
【特許文献４】特開２００９−２８５８１２号公報
【発明の概要】
【発明が解決しようとする課題】
【０００６】
ところで、可搬型の電動工具では、使用中に電動工具が使用者の手から離れた場合、安全面での配慮からスイッチが速やかにオフ状態になることが望ましい。しかしながら、図１０に示したスイッチ操作部は、オンロックされると使用者がスイッチハンドルから手を離してもオフ状態にならない。そのため、オンロック機能を有するスイッチ操作部を用いた場合、使用中に電動工具を落とした場合にも駆動状態が継続してしまう。
【０００７】
本開示は、上記課題を鑑み、オン状態を保持することが容易でありながら、使用者の手から離れた場合に速やかにスイッチがオフ状態になる電動工具を提供するものである。
【課題を解決するための手段】
【０００８】
上記目的を達成するために、本開示の第１態様である電動工具は、ハウジングの表面に、前後方向にスライド自在かつ前後へ傾動自在なスイッチハンドルが取り付けられ、前記スイッチハンドルと前記ハウジングに内蔵されたスイッチとが連結具で連結され、前記スイッチハンドルが前方に移動されることで前記スイッチがオン状態になり、前記スイッチハンドルが後方に移動されることで前記スイッチがオフ状態に転じる電動工具であって、前記スイッチハンドルは、後方に向けて移動付勢された本体部と、本体部が水平姿勢にある場合において、当該本体部から前記ハウジングのグリップ部上を横切り斜め後方上方に延伸する延伸部とを有し、前記本体部を前方に移動させて前記スイッチがオン状態にあるときに、前記グリップ部を握ると、その握り動作において、前記延伸部を前記グリップ部に当接する方向に押し下げ、前記スイッチをオン状態に維持する一方、握り動作を解除すると、前記本体部に作用している付勢力によって前記本体部が後方に移動し、前記スイッチがオフ状態に転じることを特徴とする。
【０００９】
また、本開示の第２態様は第１態様において、前記スイッチがオン状態になるまで前記本体部が前方に移動された位置において、前記本体部の少なくとも一部分を覆う受け部が前記ハウジング側に設けられ、前記本体部が前方に移動され、かつ後傾姿勢に転じた場合において、前記受け部と係合する係合部を前記本体部側に有するよう構成してもよい。
また、本開示の第３態様は第２態様において、前記本体部が後退端から前進端まで移動する途上に、前記本体部が水平姿勢のままでは当接して前進動が阻止されるが、前記本体部を後傾姿勢にすると乗り越えて前進動することのできる程度の高さを有した突起が前記ハウジン側に設けられており、前記本体部を後傾姿勢のまま前進端まで移動し、前記グリップ部を握り前記延伸部を押し下げると、前記本体部の係合部が前記ハウジング側の受け部に係合し、オンロック状態となるよう構成してもよい。
【発明の効果】
【００１０】
上記本開示の第１態様によると、延伸部がグリップ部上を横切って斜め後方上方に延伸しているため、グリップ部と一緒に延伸部を握ることができる。そのため、本体部を前方に移動させた状態において、延伸部とグリップ部とを握り、延伸部をグリップ部に当接させることで、付勢力に抗してスイッチハンドルを前方で押止することが容易になる。よって、本態様にかかる電動工具では、グリップ部を握っている場合に、スイッチのオン状態を、容易に保持することができる。
【００１１】
一方、オン状態で使用者がグリップ部から手を離した場合、グリップ部への延伸部の押圧が失われるため、付勢力に抗していたスイッチハンドルの押止が解ける。その結果、付勢力により本体部が後方へスライドし、スイッチは速やかにオフ状態に切り換わる。
よって、本態様にかかる電動工具では、オン状態を保持することが容易でありながら、使用者の手から離れた場合にスイッチが速やかにオフ状態になり、高い安全性を得ることができる。
【００１２】
上記本開示の第２態様の構成によれば、本体部を前方に移動させてからグリップ部と延伸部とを握ることで、本体部を後傾させて係合部を受け部に係合させることができる。そのため、グリップ部と延伸部とを握っている間は、本体部が前方に移動した状態で係止され、スイッチをオン状態に保持することがさらに容易になる。
一方、使用者の手から離れた場合には、本体部が水平姿勢に向けて傾動することで、係合部と受け部との係合が解ける。そのため、使用者の手から離れた後は、スイッチが速やかにオフ状態に切り換わり、高い安全性を実現することができる。
【００１３】
上記本開示の第３態様の構成によれば、本体部は後方に向けて移動付勢されているので、延伸部に手をかけておらず、延伸部を押し下げていない場合、後退端に移動して水平姿勢になる。そのため、延伸部に手をかけていない状態で本体部は、前進動が阻止される。よって、スイッチをオン状態にするためには、本体部を前進動させる前に、延伸部を押し下げる操作が必要になるため、本態様にかかる電動工具では、スイッチが不用意にオン状態になりにくいという効果が得られる。
【図面の簡単な説明】
【００１４】
【図１】実施の形態１に係るディスクグラインダーの斜視図である。
【図２】ディスクグラインダーの使用形態を示す一部縦断面図である。
【図３】スイッチ操作部およびその周辺部分の斜視図である。
【図４】スイッチ操作部およびその周辺部分の縦断面図であり、スイッチハンドル１をオン位置までスライドさせる操作Ａを示す。
【図５】スイッチ操作部およびその周辺部分の縦断面図であり、オン位置においてスイッチハンドル１を後傾動させる操作Ｂを示す。
【図６】実施の形態２に係るスイッチ操作部およびその周辺部分の縦断面図であり、スイッチハンドル１をオン位置までスライドさせる操作Ａを示す。
【図７】実施の形態２に係るスイッチ操作部およびその周辺部分の縦断面図であり、オン位置においてスイッチハンドル１を後傾動させる操作Ｂを示す。
【図８】実施の形態３に係るスイッチ操作部およびその周辺部分の縦断面図であり、オフ位置においてスイッチハンドル１を後傾度させ、オフロックを解除する操作Ｃを示す。
【図９】実施の形態３に係るスイッチ操作部およびその周辺部分の縦断面図であり、オフロックを解除したスイッチハンドル１をオン位置までスライドさせる操作Ｄ、およびオン位置においてスイッチハンドル１を後傾動させる操作Ｅを示す。
【図１０】（ａ）、（ｂ）は従来のスイッチ操作部の操作を示す縦断面図である。
【発明を実施するための形態】
【００１５】
以下、本開示の各態様である電動工具の実施の形態について、図を用いて説明する。
（第１の実施の形態）
１．ディスクグラインダーの構成
図１は、本開示の第１の実施の形態に係る可搬型の電動工具の一例として、ディスクグラインダーの斜視図を示す。ディスクグラインダーは、片手で握ることが可能な太さの筒状に形成されたハウジング１０を有し、ハウジング１０の一端に取り付けられた電池９の電力により、円盤形状の砥石８を回転させることで、研削作業に利用される。ハウジングの表面には、二点鎖線で囲んだスイッチ操作部が設けられており、ディスクグラインダーのスイッチ操作に用いられる。
【００１６】
図２は、ディスクグラインダーの使用形態を示す一部従断面図である。ディスクグラインダーは、スイッチ３、モータ４をハウジング１０に内蔵しており、オン状態のスイッチ３を通じて電池９の電力をモータ４へ供給し、回転力を発生させる。その回転力を駆動ケース７内のピニオンギア５と駆動ギア６へ伝え、砥石８を回転させることが出来る。
スイッチ３は、接点３ａを矢印ａの向きに押し出す付勢力を有している。接点３ａは、連結具２の垂下部２ｂに接続されており、連結具２を矢印ｂの向きスライドさせる付勢力を伝達している。
【００１７】
連結具２の水平部２ｃには、垂下部２ｂに連なる側とは逆側の端部に、連結孔２ａが貫通して形成されている。連結孔２ａには、スイッチハンドル１のアーム１４が引掛けられている。そのため、スイッチハンドル１は、矢印ｃの方向にスライドさせる付勢力と、矢印ｄの方向に延伸部１２を引き起こすように傾動させる付勢力とが連結具２から伝達される。
【００１８】
ディスクグラインダーの使用時は、本図において二点鎖線で示すように、スイッチハンドル１の延伸部１２をハウジング１０のグリップ部１０ａと一緒に握り、延伸部１２をグリップ部１０の表面へ押圧することで、矢印ｃ方向および矢印ｄ方向の付勢力に抗して、スイッチハンドル１を保持することができる。
２．スイッチ操作部の構成
図３は、スイッチ操作部およびその周辺部の斜視図である。ハウジング１０に形成された窪み状のガイド部１１には、スイッチハンドル１が配設されている。このスイッチハンドル１とガイド部１１とにより、スイッチ操作部が構成される。以降、ガイド部１１の長手方向において、本図で右手前側をスイッチ操作部の前側、本図の左奥側をスイッチ操作部の後側として説明する。
【００１９】
ガイド部１１は、前後方向に長い矩形のガイド面１１ａが、ハウジング１０の表面に凹状に形成されたものである。ガイド面１１ａの短手方向の中央には、前後方向に長い挿通孔１５が貫通して形成されている。ガイド部１１の左右の側壁１１ｂには、前後方向に長い支持溝１１ｃが形成されている。
スイッチハンドル１は、長尺形状をなし、左右の側面に円柱形状の傾動軸１３が突出形成されている。傾動軸１３は、支持溝１１ｃに遊挿されており、これによりスイッチハンドル１は、支持溝１１ｃに沿って前後方向にスライド自在、かつ、傾動軸１３を中心にして前後に傾動自在に支持されている。
【００２０】
傾動軸１３から前方はスイッチハンドル１の本体部１ａであり、傾動軸１３より後方は延伸部１２である。延伸部１２は、本体部１ａよりも前後方向に長い形状であり、本体部１ａの上面に親指をあてがった状態で掌部分がかかる程度の長さに形成されている。延伸部１２は、スイッチハンドル１がガイド部１１に配設された状態で、グリップ部１０ａ上を横切るように延伸する。
【００２１】
本体部１ａの下面には、アーム１４が突出形成されている。アーム１４は、挿通孔１５に挿通させた状態で前後に遊動可能な幅で形成されており、挿通孔１５を経て、ハウジング１０の内部に突き出されている。アーム１４の先端は、連結具２の先端に形成された連結孔２ａに引掛けられている。連結具２には後方へ向けて付勢力が伝達されているため、スイッチハンドル１は、アーム１４の先端が常に後方に引かれている。これにより、スイッチハンドル１は、後方へ向けてスライドするよう付勢力が伝達され、かつ傾動軸１３を中心にして前傾動するように付勢力が伝達された状態になっている。
【００２２】
以上のように構成されたスイッチ操作部において、本図に示すように、アーム１４が挿通孔１５の後縁に接触する後退端の位置（以降、オフ位置という）にスイッチハンドル１がある時、スイッチ３はオフ状態になる。
この状態から、アーム１４が挿通孔１５の前縁に接触する前進端の位置（以降、オン位置という）まで、スイッチハンドル１を矢印Ａで示すようにスライドさせる操作（以降、操作Ａという）によりスイッチ３をオン状態に切り換えることができる。この状態でさらに、矢印Ｂで示すように延伸部１２を押し下げスイッチハンドル１を後傾動させる操作（以降、操作Ｂという）により、延伸部１２をグリップ部１０ａに押圧し、スイッチハンドル１をオン位置で押止することが容易になる。
【００２３】
３．スイッチ操作部の操作の詳細
図４を用いて、スイッチハンドル１をオン位置にスライドさせる操作Ａの詳細を説明する。スイッチハンドル１に手をかけていない状態で、スイッチハンドル１は、本図において実線で示すように、アーム１４が挿通孔１５の後縁に接触したオフ位置で停止している。また、アーム１４が挿通孔１５の後縁に接触した状態で、その先端が連結具２によって後方に引かれるため、スイッチハンドル１は、傾動軸１３を軸に前傾動し、延伸部１２が斜め後方上方に持ち上がり本体部１ａの下面がガイド面１１ａに対して水平になった姿勢（以降、水平姿勢という）になる。
【００２４】
この状態から本体部１ａを前方向へ押し、矢印Ａのようにスイッチハンドル１をスライドさせると、二点鎖線で示すように、アーム１４が挿通孔１５の前縁に接触するオン位置までスイッチハンドル１がスライドする。このスイッチハンドル１のスライドに伴い、アーム１４に引き掛けられた連結具２も矢印Ａ’のように前方向にスライドし、連結具２に連結されたスイッチ３がオン状態になる。
【００２５】
続いて、図５を用いて、オン位置においてスイッチハンドル１を後傾動させる操作Ｂの詳細を説明する。スイッチハンドル１は後方向へ付勢されているため、スイッチ３をオン状態に保持するためには、付勢力に抗してスイッチハンドル１をオン位置に保持する必要がある。そこで、矢印Ｂに示すように、オン位置において延伸部１２を押し下げ、スイッチハンドル１を後傾動させる。この操作は、本体部１に親指をかけてオン位置にスライドさせた後、親指を離さずに延伸部１２とハウジング１０のグリップ部１０ａとをまとめて握る動作によって、容易に行うことができる。
【００２６】
二点鎖線で示すように、オン位置においてスイッチハンドル１を後傾動させると、延伸部１２の下面の一部分が、グリップ部１０ａに当接する。後傾動により延伸部１２をグリップ部１０ａに当接させた姿勢（以降、後傾姿勢という）で握力により延伸部１２をグリップ部１０ａに押圧することで、スイッチハンドル１をオン位置で効果的に押止することができる。
【００２７】
また、延伸部１２とグリップ部１０ａとをまとめて握り込む際に、延伸部１２のうちグリップ部１０ａと当接している部分より傾動軸１３から遠く、かつグリップ部１０ａと離間している部分を掌で押さえることで、この離間している部分を力点、当接している部分を作用点にした梃子の作用を得ることができる。この梃子の作用によりスイッチハンドル１をさらに容易にオン位置で押止することができ、スイッチ３をオン状態に保持することができる。
【００２８】
一方、二点鎖線で示す状態で使用者がディスクグラインダーから手を離した場合、延伸部１２に対する押圧が失われる。この場合、アーム１４の先端が連結具２によって後方に引かれることで、スイッチハンドル１は、傾動軸１３を軸に前傾動して水平姿勢になるとともに、オフ位置にスライドし、図４において実線で示す状態になる。その結果、スイッチ３はオフ状態になる。
【００２９】
４．効果
本開示の第１の実施の形態に係る電動工具では、スイッチハンドル１をオン位置にスライドさせた状態で延伸部１２とグリップ部１０ａとをまとめて握ることで、スイッチハンドル１を後傾姿勢にし、延伸部をグリップ部の表面に押圧することができる。これにより、付勢力に抗してスイッチハンドル１をオン位置で押止し、スイッチ３をオン状態に保持することができる。
【００３０】
一方、オン状態で使用者がグリップ部から手を離した場合、付勢力によりスイッチハンドル１は前傾動しつつ、オフ位置へスライドする。特に、前傾動により延伸部１２とグリップ部１０ａとの接触が解かれるため、スイッチハンドル１のオフ位置へのスライドがスムーズであり、スイッチ３は速やかにオフ状態に切り換わる。
よって、本開示の第１の実施の形態に係る電動工具では、オン状態を保持することが容易でありながら、使用者が手を離した場合に速やかにオフ状態になり、高い安全性を得ることができる。
【００３１】
（第２の実施の形態）
以下、スイッチハンドル１の形状が第１の実施の形態とは異なる実施の形態２について、第１の実施の形態との差異を中心に説明する。
１．スイッチ操作部の構成
図６は、実施の形態２に係るスイッチ操作部およびその周辺部分の縦断面図である。本図に示すスイッチ操作部は、図３を用いて説明した第１の実施の形態に係るスイッチ操作部に比較して、ハウジング１０に受け部１６を設けたこと、および、スイッチハンドル１の本体部１ａに係合部１７を設けたことが相違している。
【００３２】
係合部１７は、本体部１ａの前端から前方向に突出形成されており、その前端上面に突起１７ａを有している。
受け部１６は、ガイド面１１ａの前よりの一部分を覆う庇状に形成されている。受け部１６の遊端が下方向に屈曲することで、受け部１６の下面には、リブ部１６ａと窪み部１８とが形成されている。窪み部１８の前後方向の幅は、突起１７ａの前後方向の幅に対して広く形成されている。
【００３３】
２．スイッチ操作部の操作の詳細
第２の実施の形態に係るディスクグラインダーにおいて、スイッチハンドル１をオン位置にスライドさせる操作Ａの詳細を説明する。スイッチハンドル１に手をかけていない状態で、スイッチハンドル１は、本図において実線で示すようにオフ位置で停止している。このとき係合部１７の突起１７ａは、ガイド面１１ａに対して略鉛直方向から見たときに、受け部１７に覆われていない。
【００３４】
この状態から矢印Ａのように本体部１ａを前方向へ押し、スイッチハンドル１を二点鎖線で示すオン位置までスライドさせると、アーム１４に引き掛けられた連結具２も矢印Ａ’のように前方向にスライドし、連結具２に連結されたスイッチ３がオン状態になる。このとき突起１７ａは、ガイド面１１ａに対して略鉛直方向から見たときに、受け部１６に覆われる位置に移動している。
【００３５】
続いて、図７を用いて、オン位置においてスイッチハンドル１を後傾動させる操作Ｂの詳細を説明する。オン位置にあるスイッチハンドル１を、実線で示す水平姿勢の状態から、矢印Ｂに示すように延伸部１２を押し下げると、スイッチハンドル１は、二点鎖線で示す後傾姿勢になる。このとき本体部１ａが矢印Ｂ’に示すように持ち上がり、突起１７ａは、窪み部１８に緩嵌する。突起１７ａが窪み部１８に緩嵌した状態で、スイッチハンドル１が付勢力により後方へ向けてスライドしようとすることで、突起１７ａの後端とリブ部１６ａの前端とが当接する。この結果、スイッチハンドル１は受け部１６に係止され、後方へのスライドが阻止される状態（以降、オンロック状態）になる。
【００３６】
一方、二点鎖線で示す状態で使用者がディスクグラインダーから手を離した場合、アーム１４の先端が連結具２によって後方に引かれているため、スイッチハンドル１は、傾動軸１３を軸に前傾動する。これによりスイッチハンドル１は、図７において実線で示す水平姿勢に戻り、突起１７ａによるリブ部１６ａへの係止が解かれる。その結果、オンロック状態が解除され、後方へのスライドが可能となったスイッチハンドル１は、図６において実線で示すようにオフ位置までスライドし、スイッチ３がオフ状態になる。
【００３７】
３．効果
本開示の第２の実施の形態に係る電動工具では、スイッチハンドル１をオン位置にスライドさせた状態で延伸部１２とグリップ部１０ａとをまとめて握ることで、スイッチハンドル１を後傾姿勢にし、受け部１６に係止することができる。これにより、スイッチハンドル１の後方へのスライドをロックし、スイッチ３をオン状態に保持することができる。
【００３８】
一方、オン状態で使用者がグリップ部から手を離した場合、後傾姿勢から水平姿勢に向けて傾動するように付勢力が伝達されているので、スイッチハンドル１は前傾動し、係合部１７と受け部１６との係合が解ける。これにより、スイッチハンドル１の後方へのスライドが阻止されることなく、スイッチ３は速やかにオフ状態に切り換わる。
よって、本開示の第２の実施の形態に係る電動工具では、オン状態を保持することがさらに容易でありながら、使用者が手を離した場合に速やかにオフ状態になり、高い安全性を得ることができる。
【００３９】
（第３の実施の形態）
以下、ガイド面１１ａの形状が第２の実施の形態とは異なる実施の形態３について、第２の実施の形態との差異を中心に説明する。
１．スイッチ操作部の構成
図８は、実施の形態３に係るスイッチ操作部およびその周辺部分の縦断面図である。本図に示すスイッチ操作部は、図６を用いて説明した第１の実施の形態に係るスイッチ操作部に比較して、ガイド面１１ａに突起１９を設けたことが相違している。
【００４０】
突起１９は、ガイド面１１ａにおいて、挿通孔１５より前方に突出形成されている。突起１９の後端は、スイッチハンドル１がオフ位置において水平姿勢である場合に、スイッチハンドル１の前端に当接する。突起１９の高さは、本体部が後傾することで乗り越えて前進動することのできる程度に形成されている。
２．スイッチ操作部の操作の詳細
使用者がスイッチハンドル１に手をかけていない場合、連結具２を介して付勢された付勢力により、スイッチハンドル１は、図８において実線で示すようにオフ位置で水平姿勢になり、スイッチ３はオフ状態になる。このとき本体部１ａの前端は突起１９に当接しており、スイッチハンドル１は、オフ位置で前方へのスライドが阻止された状態（以降、オフロック状態という）である。
【００４１】
本実施の形態に係る電動工具は、オフロックを解除する操作Ｃ、オフロックを解除したスイッチハンドル１をオン位置にスライドさせる操作Ｄ、オン位置においてスイッチハンドル１を後傾動させる操作Ｅを行うことで、スイッチ３をオン状態にし、その状態を容易に保持することができる。
図８を用いて、スイッチハンドル１のオフロックを解除する操作Ｃの詳細を説明する。オフ位置において水平姿勢である状態でスイッチハンドル１は、前端が突起１９に当接している。この状態から矢印Ｃに示すように延伸部１２を押し下げる。矢印Ｃに示す押下の幅は、本体部１ａの前端下面が矢印Ｃ’に示すように突起１９の上面よりも上方に移動する程度であればよい。この操作により、スイッチハンドル１は、二点鎖線で示すやや後傾した姿勢（以降、中間姿勢という）になり、スイッチハンドル１と突起１９との当接が解け、オフロック状態が解除される。
【００４２】
続いて、図９を用いて、オフロックを解除したスイッチハンドル１をオン位置にスライドさせる操作Ｄの詳細を説明する。図９では、オフロック状態が解除された中間姿勢のスイッチハンドル１を実線で示している。操作Ｄでは、本体部１ａを前方向へ押し、スイッチハンドル１の下面を突起１９の上面に接触させたまま、矢印Ｄのようにスイッチハンドル１を二点鎖線で示すオン位置までスライドさせる。この結果、ガイド面１１ａに対して略鉛直方向から見たときに、突起１７ａが受け部１６に覆われる位置に移動する。また、アーム１４に引き掛けられた連結具２も矢印Ｄ’のように前方向にスライドし、連結具２に連結されたスイッチ３がオン状態になる。
【００４３】
続いて、図９を用いて、オン位置においてスイッチハンドル１を後傾動させる操作Ｅの詳細を説明する。オン位置にあるスイッチハンドル１を、二点鎖線で示す中間姿勢の状態から、矢印Ｅに示すように延伸部１２を押し下げると、スイッチハンドル１は、一点鎖線で示す後傾姿勢になる。このとき本体部１ａが矢印Ｅ’に示すように持ち上がり、突起１７ａは、窪み部１８に緩嵌する。突起１７ａが窪み部１８に緩嵌した状態で、スイッチハンドル１が付勢力により後方へ向けてスライドしようとすることで、突起１７ａの後端とリブ部１６ａの前端とが当接する。この結果、スイッチハンドル１は受け部１６に係止され、オンロック状態になる。
【００４４】
一方、一点鎖線で示す状態で使用者がディスクグラインダーから手を離した場合、スイッチハンドル１は付勢力によって前傾動する。これによりスイッチハンドル１は、二点鎖線で示す中間姿勢に戻り、突起１７ａによる受け部１６への係止が解かれる。その結果、後方へのスライドが阻止されることなく、スイッチハンドル１は、その下面を突起１９の上面に接触させた中間姿勢のまま、付勢力により後方へスライドする。スイッチハンドル１が、図９の実線で示すオフ位置までスライドすると、スイッチ３がオフ状態になる。このときアーム１４がさらに連結具２によって後方へ引かれることで、スイッチハンドル１は、図８の実線で示す水平姿勢になり、オフロック状態になる。
【００４５】
３．効果
本開示の第３の実施の形態に係る電動工具では、オフ位置において水平姿勢であるスイッチハンドル１は前端が突起１９に当接し、オフロック状態になる。特に、スイッチハンドル１は前傾動するように傾動付勢されているので、オフ位置において延伸部１２に手をかけていない場合、オフロック状態が維持される。そのため、スイッチハンドル１を後傾動させる操作をしなくては、スイッチハンドル１の前方へのスライドが阻止され、不用意にオン状態になることを防ぐことができる。よって、本開示の第３の実施の形態に係る電動工具は、高い安全性を得ることができる。
（補足）
なお、上記の第１乃至第３の実施の形態に基づいて説明してきたが、本発明は上記の実施の形態に限定されないことはもちろんである。以下のような場合も本発明に含まれる。
【００４６】
（ａ）スイッチハンドル１の形状は、第１乃至第３の実施の形態において説明したものに限定されない。例えば、ガイド面１１ａに対して略鉛直方向から見たときに、延伸部１２が本体部１ａよりも幅の広い形状であってもよい。このような形状であれば、延伸部１２を握り易くなる。また、スイッチ操作部のスライド軸に直交する面において、延伸部１２の断面が、筒状に形成されたハウジング１０の周方向に沿う円弧形状であってもよい。このような形状であれば、延伸部１２とグリップ部１０ａとをまとめて握ることが、さらに容易になる。
【００４７】
（ｂ）第１乃至第３の実施の形態において、延伸部１２は本体部１ａから延出形成したものであるとしたが、延伸部１２と本体部１ａとを別部材で形成し、本体部１ａに延伸部１２を取り付けることで、スイッチハンドル１を構成してもよい。
（ｃ）延伸部１２の材質については限定しない。例えば、柔軟性を持たせる場合には樹脂製、強度確保を図る場合には金属製を用いることが有用である。
【００４８】
（ｄ）第３の実施の形態において、突起１９はスイッチハンドル１がオフ位置において水平姿勢である場合に、スイッチハンドル１の前端に当接する位置に形成するとした。しかし、突起１９は、水平姿勢にある本体部１ａがオフ位置からオン位置へ向けてスライドする途上で本体部１ａに当接し、スイッチ３がオン状態になることを阻止できる位置であれば、第３の実施の形態で説明したものより前方に形成してもよい。
【００４９】
本開示に係る電動工具は、オン状態を保持することが容易でありながら、使用者の手から離れた場合に速やかにオフ状態になるため、片手で把持して使用することが想定される研削作業用の可搬型の電動工具等として有用である。
【符号の説明】
【００５０】
１      スイッチハンドル
１ａ    本体部
２      連結具
３      スイッチ
１０    ハウジング
１０ａ  グリップ部
１２    延伸部
１６    受け部
１７    係合部
１９    突起
【図１】
2015164754.tif 000003
【図２】
2015164754.tif 000004
【図３】
2015164754.tif 000005
【図４】
2015164754.tif 000006
【図５】
2015164754.tif 000007
【図６】
2015164754.tif 000008
【図７】
2015164754.tif 000009
【図８】
2015164754.tif 000010
【図９】
2015164754.tif 000011
【図１０】
2015164754.tif 000012